【手続補正書】
【提出日】平成15年5月28日(2003.5.28)
【手続補正１】
【補正対象書類名】明細書
【補正対象項目名】特許請求の範囲
【補正方法】変更
【補正の内容】
【特許請求の範囲】
【請求項１】
哺乳動物を産生する方法であって、該方法は、以下の工程：
哺乳動物種の雄から精子細胞を収集する工程；
該収集した精子細胞から人工授精サンプルを確立する工程；
該人工授精サンプルをカテーテル中に置く工程；
光学要素を、該哺乳動物種の雌に膣内挿入する工程；
該カテーテルを、該哺乳動物種の雌に膣内挿入する工程；
該光学要素および該カテーテルを、該哺乳動物種の雌の膣を介して導く工程；
子宮卵管接合部を、該哺乳動物種の雌内で視覚的に位置確認する工程；
該カテーテルを、該哺乳動物種の雌内の該子宮卵管接合部の近傍に位置づける工程；
該人工授精サンプルの少なくとも一部を、該カテーテルから押し出す工程；
該人工授精サンプルの少なくとも一部を、該哺乳動物種の雌内の該子宮卵管接合部の近傍に沈着させる工程；
該光学要素および該カテーテルを、該哺乳動物種の雌から引き出す工程；
該哺乳動物種の雌の卵を受精させる工程；ならびに
該受精卵から子孫哺乳動物を産生する工程、
を包含する、方法。
【請求項２】
子宮鏡検査用授精サンプルであって、以下：
レザバ要素；
該レザバ要素が応答性である、カテーテルシステム；および
該レザバ要素内に含まれる、子宮鏡検査に適合する量の精子、
を備える、授精サンプル。
【請求項３】
前記レザバ要素内に含まれる、前記子宮鏡検査に適合する量の精子が、自然な授精において代表的に見出される精子細胞の数と比較して、少数の精子細胞を含む、請求項２に記載の子宮鏡検査用授精サンプル。
【請求項４】
前記自然な授精において代表的に見出される精子細胞の数と比較して、少数の精子細胞が、以下：
約１０００万個未満の精子、約５００万個未満の精子、約２００万個未満の精子、約１００万個未満の精子、約５０万個未満の精子、および約１０万個未満の精子、
からなる群より選択される多数の精子細胞を含む、請求項３に記載の子宮鏡検査用授精サンプル。
【請求項５】
前記精子細胞が、ウシ、ウマ、またはブタから選択される、哺乳動物種の雄由来の精子細胞を含む、請求項４に記載の子宮鏡検査用授精サンプル。
【請求項６】
前記レザバ要素内に含まれる、前記子宮鏡検査に適合する量の精子が、以下：
約３０μｌと１５０μｌとの間、約５００μｌ未満、約２３０μｌ未満、および約１００μｌ未満、
からなる群より選択される量を含む、請求項２に記載の子宮鏡検査用授精サンプル。
【請求項７】
前記レザバ要素内に含まれる、前記子宮鏡検査に適合する量の精子が、哺乳動物種の雄由来の性選択された精子細胞を含む、請求項２に記載の子宮鏡検査用授精サンプル。
【請求項８】
前記哺乳動物種の雄由来の性選択された精子細胞が、ウシ、ウマ、またはブタからなる群より選択される、哺乳動物種の雄由来の精子細胞を含む、請求項７に記載の子宮鏡検査用授精サンプル。
【請求項９】
哺乳動物を産生する方法であって、該方法は、以下の工程：
哺乳動物種の雄から精子細胞を収集する工程；
該収集した精子細胞の少なくともいくつかを凍結する工程；
該凍結した、収集した精子細胞の少なくともいくつかを融解する工程；
性特異的特徴付けに従って、該収集した精子細胞を分類する工程；
該動物について天然の授精用量と比較して少数の精子を有する該収集した精子細胞から、人工授精サンプルを確立する工程；
該人工授精サンプルをカテーテル中に置く工程；
該哺乳動物種の雌に光学要素を膣内挿入する工程；
該哺乳動物種の雌に該カテーテルを膣内挿入する工程；
該哺乳動物種の雌の膣を介して該光学要素および該カテーテルを導く工程；
該哺乳動物種の雌内の子宮卵管接合部を膣内で位置づける工程；
該哺乳動物種の雌内の子宮卵管接合部の近傍に該カテーテルを位置決めする工程；
該カテーテルから該人工授精サンプルの少なくとも一部を押し出す工程；
該哺乳動物種の雌内の該子宮卵管接合物の近傍に、該人工授精サンプルの少数の精子を沈着させる工程；
該哺乳動物種の雌から該光学要素および該カテーテルを引き出す工程；
従来の子宮体人工授精プロセスに統計学的に匹敵する成功レベルで、該哺乳動物種の雌の卵を受精させる工程；ならびに
該受精した卵から子孫動物を産生する工程、
を包含する、方法。
【請求項１０】
請求項９に記載の哺乳動物を産生する方法であって、前記哺乳動物種の雄から精子細胞を収集する工程が、ウシ、ウマまたはブタからなる群より選択される哺乳動物種の雄から精子細胞を収集する工程を包含する、方法。
【請求項１１】
請求項９に記載の哺乳動物を産生する方法であって、前記確立する工程は、分類された性特異的人工授精サンプルを確立する工程を包含し、前記位置づける工程は、該分類された性特異的人工授精サンプルをカテーテル中に置く工程を包含し、前記押し出す工程は、該分類された性特異的人工授精サンプルの少なくとも一部を該カテーテルから押し出す工程を包含し、前記沈着させる工程は、前記哺乳動物種の前記雌内の前記子宮卵管接合部の近傍に、該分類された性特異的人工授精サンプルの少なくとも一部を沈着させる工程を包含する、方法。
【請求項１２】
請求項９に記載の哺乳動物を産生する方法であって、前記哺乳動物種の雌が、適切に受精される時期を決定する工程をさらに包含する、方法。
【請求項１３】
請求項９に記載の哺乳動物を産生する方法であって、前記哺乳動物種の雌の卵を受精させる工程は、従来の子宮体人工授精プロセスに統計学的に匹敵する成功レベルで、該哺乳動物種の雌の卵を受精させる工程を包含する、方法。
【請求項１４】
請求項９に記載の哺乳動物を産生する方法であって、前記確立させる工程が、前記収集した精子細胞由来の新鮮な精子を利用して人工授精サンプルを確立する工程を包含する、方法。
【請求項１５】
請求項９に記載の哺乳動物を産生する方法であって、該方法は、前記収集した精子細胞から受精をより達成するために所望される精子を選択する工程をさらに包含し、前記確立する工程は、該受精に所望される精子を使用して人工授精サンプルを確立する工程を包含する、方法。
【請求項１６】
請求項９に記載の哺乳動物を産生する方法であって、該方法は、前記哺乳動物種の雌内の子宮卵管接合部の近傍にある表面下に、前記カテーテルを挿入する工程をさらに包含し、そして前記押し出す工程は、該哺乳動物種の雌内の子宮卵管接合部の近傍にある表面下に、該カテーテルから前記人工授精サンプルの少なくとも一部を押し出す工程を包含し、そして前記沈着させる工程は、該哺乳動物種の雌内の子宮卵管接合部の近傍にある表面下に、該人工授精サンプルの少なくとも一部を沈着させる工程を包含する、方法。
【請求項１７】
請求項９に記載の哺乳動物を産生する方法であって、前記カテーテルから押し出された前記人工授精サンプルの少なくとも一部を吸引して、吸引された授精サンプルを作製する工程をさらに包含する、方法。
【請求項１８】
請求項９に記載の哺乳動物を産生する方法であって、該方法は、人工授精のために子宮鏡適合性の容量を決定する工程をさらに包含し、ここで、前記確立する工程が、該子宮鏡適合性の容量で該人工授精を確立する工程を包含する、方法。
【請求項１９】
請求項９に記載の哺乳動物を産生する方法であって、該方法は、授精標本中の前記収集された精子細胞の特性を一時的に実質的に保持させる工程、該哺乳動物種の雌についての発情期を決定する工程、およびおよその該発情期にて人工授精サンプルを確立するように該受精標本の特性を変更する工程、をさらに包含する、方法。
【請求項２０】
請求項９に記載の哺乳動物を産生する方法であって、少数の精子を前記カテーテル中に置く工程が、以下：
約１０００万個未満の精子、約５００万個未満の精子、約２００万個未満の精子、約１００万個未満の精子、約５０万個未満の精子、および約１０万個未満の精子、
からなる群より選択される多数の精子を置く工程をさらに包含する、方法。
【請求項２１】
請求項２０に記載の哺乳動物を産生する方法であって、前記受精させる工程が、前記哺乳動物種の雌の卵を、従来の子宮体の人工授精プロセスに統計的に匹敵する成功レベルで受精させる工程を包含し、該成功レベルは、以下：
該哺乳動物種の雌の卵を、少なくとも約０．０５以上の統計的なＰ値で、従来の子宮体の人工授精プロセスに統計的に匹敵する成功レベルで受精させる工程、  該哺乳動物種の雌の卵を、少なくとも約０．０５以上の統計的なＰ値で、５億のウマ精子サンプルを使用する従来の子宮体の人工授精プロセスに統計的に匹敵する成功レベルで受精させる工程、
該哺乳動物種の雌の卵を、少なくとも約８０％以上の統計的なβ値で、従来の子宮体の人工授精プロセスに統計的に匹敵する成功レベルで受精させる工程、
該哺乳動物種の雌の卵を、少なくとも約０．０５以上の統計的なＰ値、および少なくとも８０％以上の統計的なβ値の両方で、従来の子宮体の人工授精プロセスに統計的に匹敵する成功レベルで受精させる工程、
からなる群から決定される、方法。
【請求項２２】
請求項２０に記載の哺乳動物を産生する方法であって、前記受精させる工程が、該哺乳動物種の雌の卵を、該種の従来の人工授精の少なくとも約７５％の成功率、少なくとも約６５％の成功率、少なくとも約６０％の成功率、少なくとも約５０％の成功率、少なくとも約４５％の成功率、および少なくとも約９０％の成功率からなる群から選択される成功レベルで哺乳動物種の雌の卵を従来の子宮体の人工授精プロセスに統計的に匹敵する成功レベルで受精させる工程を包含する、方法。
【請求項２３】
請求項２２に記載の哺乳動物を産生する方法であって、前記哺乳動物種の雄から精子細胞を収集する工程が、ウシ、ウマまたはブタからなる群から選択される哺乳動物種の雄から精子細胞を収集する工程を包含する、方法。
【請求項２４】
請求項９に記載の哺乳動物を産生する方法であって、前記哺乳動物種の雌が適切に受精する時期を決定する工程をさらに包含する、方法。
【請求項２５】
請求項１〜２４のいずれか１項に記載の方法に従って産生された、子宮鏡検査用授精サンプル。
【請求項２６】
請求項１〜２４のいずれか１項に記載の方法に従って産生された、哺乳動物。
【請求項２７】
カテーテルシステムのレザバ要素内に含まれる複数の精子細胞を含む授精サンプルであって、該サンプルは、哺乳動物種の雌の子宮卵管接合部の近傍に位置づけられるように構成され、そして、該子宮卵管接合部を視覚的に位置確認することによって、該哺乳動物種の雌内の子宮卵管接合部の近傍内に沈着させる、授精サンプル。
【請求項２８】
前記レザバ内に含まれる子宮鏡適合性の媒体を含む、請求項２７に記載の授精サンプル。
【請求項２９】
前記レザバ内に含まれる子宮鏡適合性の容量の精子を含む、請求項２７に記載の授精サンプル。
【請求項３０】
凍結解凍された複数の精子細胞を含む、請求項２７に記載の授精サンプル。
【請求項３１】
性特異的特徴付けに従って分類された複数の分類された精子細胞を含む、請求項２７に記載の授精サンプル。
【請求項３２】
複数の精子細胞を含む授精サンプルであって、該サンプルは、哺乳動物種の雌の子宮卵管接合部の近傍に位置づけられるように構成され、そして、該子宮卵管接合部を視覚的に位置確認することによって、該哺乳動物種の雌内の子宮卵管接合部の近傍内に沈着させられる、授精サンプル。
【請求項３３】
子宮鏡適合性の媒体を含む、請求項３２に記載の授精サンプル。
【請求項３４】
子宮鏡適合性の容量の精子を含む、請求項３２に記載の授精サンプル。
【請求項３５】
凍結解凍された複数の精子細胞を含む、請求項３２に記載の授精サンプル。
【請求項３６】
性特異的特徴付けに従って分類された複数の分類された精子細胞を含む、請求項３２に記載の授精サンプル。
【請求項３７】
請求項２に記載の子宮鏡検査用授精サンプルであって、該サンプルは、哺乳動物種の雌の子宮卵管接合部の近傍に位置づけられるように構成され、そして、該子宮卵管接合部を視覚的に位置確認することによって、該哺乳動物種の雌内の子宮卵管接合部の近傍内に沈着させられる、授精サンプル。